(57)【要約】      （修正有）【課題】接着剤を使用せずに組立、解体することができる段ボール製パレットを提供する。【解決手段】段ボール製パレット１０は、長尺な四角筒状に形成され積載物が載せられる積載部１１を形成可能な複数の積載部形成部材２０と、長尺な四角筒状に形成されフォークを差し込み可能な差込部形成部材１００と、を備える。積載部形成部材２０は、短手方向において差込部形成部材１００を挿通可能な開口部を有し、短手方向に沿って開口部が連通するように並列に配置される。積載部形成部材２０の開口部に、差込部形成部材１００が挿通されて、積載部形成部材２０が連結されている。【選択図】図１３
2019182457.tif 000002
【特許請求の範囲】
【請求項１】
長尺な四角筒状に形成され積載物が載せられる積載部を形成可能な複数の積載部形成部材と、
長尺な四角筒状に形成されフォークを差し込み可能な差込部形成部材と、を備え、
前記積載部形成部材は、短手方向において前記差込部形成部材を挿通可能な開口部を有し、短手方向に沿って前記開口部が連通するように並列に配置され、
前記積載部形成部材の前記開口部に、前記差込部形成部材が挿通されて、前記積載部形成部材が連結され前記積載部が形成されることを特徴とする段ボール製パレット。
【請求項２】
前記積載部形成部材は、
矩形状の第一デッキ面板と、前記第一デッキ面板の両側端部と折り線を介して連設される外側面板と、前記外側面板の前記第一デッキ面板とは反対側の端部と折り線を介して連設される第二デッキ面板と、前記第二デッキ面板の前記外側面板とは反対側の端部と折り線を介して連設される内側面板と、を有し、
前記外側面板と、前記第二デッキ面板と、前記内側面板と、が折り曲げられて前記第一デッキ面板とで、四角筒状の角筒部が二つ形成され、前記角筒部どうしを保持部材が係止して組み立て状態が保持され、
前記開口部は、
前記外側面板に配設される外側面板開口部と、前記内側面板に配設される内側面板開口部と、で構成され、
前記積載部形成部材の、前記外側面板開口部及び前記内側面板開口部に、前記差込部形成部材が挿通されて、前記積載部形成部材が連結されていることを特徴とする請求項１記載の段ボール製パレット。
【請求項３】
前記外側面板開口部と、前記内側面板開口部の、少なくとも一方の開口縁部から延設され、前記第一デッキ面板と、前記第二デッキ面板に当接可能な補強フラップを有していることを特徴とする請求項２記載の段ボール製パレット。
【請求項４】
前記保持部材が、
前記第二デッキ面板の短手方向における全域、及び、前記内側面板の短手方向における一部に亘って形成されたスリットに挿入されることで、前記積載部形成部材の組み立て状態が保持されていることを特徴とする請求項２又は３記載の段ボール製パレット。
【発明の詳細な説明】
【技術分野】
【０００１】
搬送容易、かつ、組み立て容易な段ボール製パレットに関する。
【背景技術】
【０００２】
従来の段ボール製パレットとして、特許文献１に記載されるものがあり、桁部材は、外面板を下面板の左右側縁に立ち上げ、上面板を下面板と平行になるよう折り曲げ、内面板を外面板と平行になるよう折り曲げると共に、外面板と内面板の間に、各折畳み板を折り重ね状態で収容して、下面板上に角柱状の左右の脚部を組み立てた後、左右の係合孔と隙間に係止部材を差し込んでその組み立て状態を維持してなり、各脚部の上面側を、デッキボードの下面に接着剤などで貼り着けて、紙製パレットを構成していた。
【先行技術文献】
【特許文献】
【０００３】
【特許文献１】特開２００６−１６０３０号公報
【発明の概要】
【発明が解決しようとする課題】
【０００４】
しかし、上記の段ボール製パレットでは、脚部の上面側と、デッキボードの下面とを、接着剤を用いて貼り付けていたので、組立時に作業工数がかかり、解体時にリサイクルがしにくいという問題があった。
【０００５】
本発明は、上記事情に鑑み、接着剤を使用せずに組立、解体することができる段ボール製パレットを提供するものである。
【課題を解決するための手段】
【０００６】
請求項１記載の発明では、長尺な四角筒状に形成され積載物が載せられる積載部を形成可能な複数の積載部形成部材と、
長尺な四角筒状に形成されフォークを差し込み可能な差込部形成部材と、を備え、
前記積載部形成部材は、短手方向において前記差込部形成部材を挿通可能な開口部を有し、短手方向に沿って前記開口部が連通するように並列に配置され、
前記積載部形成部材の前記開口部に、前記差込部形成部材が挿通されて、前記積載部形成部材が連結され前記積載部が形成される。
【０００７】
これによれば、積載部形成部材の開口部に、差込部形成部材を挿通することで、積載部形成部材が連結されるので、接着剤を使用せずに組立、解体することができる。また、複数の積載部形成部材で積載物が載せられる積載部を形成するので、積載部形成部材の数の増減により、段ボール製パレットのサイズの変更を行うことができる。
【０００８】
また、前記積載部形成部材は、
矩形状の第一デッキ面板と、前記第一デッキ面板の両側端部と折り線を介して連設される外側面板と、前記外側面板の前記第一デッキ面板とは反対側の端部と折り線を介して連設される第二デッキ面板と、前記第二デッキ面板の前記外側面板とは反対側の端部と折り線を介して連設される内側面板と、を有し、
前記外側面板と、前記第二デッキ面板と、前記内側面板と、が折り曲げられて前記第一デッキ面板とで、四角筒状の角筒部が二つ形成され、前記角筒部どうしを保持部材が係止して組み立て状態が保持され、
前記開口部は、
前記外側面板に配設される外側面板開口部と、前記内側面板に配設される内側面板開口部と、で構成され、
前記積載部形成部材の、前記外側面板開口部及び前記内側面板開口部に、前記差込部形成部材が挿通されて、前記積載部形成部材が連結されている。
【０００９】
これによれば、保持部材により組み立て状態が保持された積載部形成部材の、外側面板開口部及び内側面板開口部に、差込部形成部材が挿通されて、積載部形成部材が連結される構成によって、接着剤を使用せずに組立、解体することがきる段ボール製パレットとすることができる。さらに、第一デッキ面板、第二デッキ面板を有する構成としているので、積載物が載せられる積載部を上下両面に形成することができる。
【００１０】
また、前記外側面板開口部と、前記内側面板開口部の、少なくとも一方の開口縁部から延設され、前記第一デッキ面板と、前記第二デッキ面板に当接可能な補強フラップを有している。
【００１１】
これによれば、補強フラップが、第一デッキ面板と、第二デッキ面板に当接することにより、第一デッキ面板から第二デッキ面板に向かう方向における強度を向上させることができる。
【００１２】
また、前記保持部材が、前記第二デッキ面板の短手方向における全域、及び、前記内側面板の短手方向における一部に亘って形成されたスリットに挿入されることで、前記積載部形成部材の組み立て状態が保持されている。
【００１３】
これによれば、スリットに保持部材を挿入することで、積載部形成部材の組み立て状態が保持されるので、組み付け作業性を容易にすることができる。
【図面の簡単な説明】
【００１４】
【図１】本発明の一実施形態における段ボール製パレットを構成する積載部形成部材の展開図である。
【図２】同実施形態の段ボール製パレットを構成する差込部形成部材の展開図である。
【図３】同実施形態の段ボール製パレットを構成する保持部材の展開図である。
【図４】段ボール製パレットの組み立て手順の説明図である。
【図５】図４の続きの説明図である。
【図６】図５の続きの説明図である。
【図７】図６の続きの説明図である。
【図８】図７の続きの説明図である。
【図９】図８の続きの説明図である。
【図１０】図９の続きの説明図である。
【図１１】図１０の続きの説明図である。
【図１２】図１１の続きの説明図である。
【図１３】同実施形態の段ボール製パレットの使用態様の説明図である。
【発明を実施するための形態】
【００１５】
本発明の段ボール製パレットの一実施形態について図面に基づいて説明する。
【００１６】
段ボール製パレット１０は、図１〜３、１１〜１３に示すように、積載部形成部材２０と、差込部形成部材１００と、保持部材１６０と、を有している。
【００１７】
積載部形成部材２０は、強化段ボールシート製で、図１に示すように、矩形状の第一デッキ面板３０と、第一デッキ面板３０の両側端部と折り線２１を介して連設される外側面板４０と、外側面板４０の第一デッキ面板３０とは反対側の端部と折り線２２を介して連設される第二デッキ面板５０と、第二デッキ面板５０の外側面板４０とは反対側の端部と折り線２３を介して連設される内側面板６０と、を有している。
【００１８】
第一デッキ面板３０は、長尺矩形状に形成されている。
【００１９】
外側面板４０は、長尺矩形状に形成されている。外側面板４０には、四角筒状の差込部形成部材１００を挿通可能な、開口部２４としての外側面板開口部４１が形成されている。
【００２０】
本実施形態では、外側面板開口部４１は、長手方向に長い矩形状に二か所開口している。外側面板開口部４１の開口縁部の長手方向における両端部から矩形状の補強フラップ４２が延設されている。補強フラップ４２は、積載部形成部材２０が、四角筒状に組み立てられた状態において、第一デッキ面板３０の内面と、第二デッキ面板５０の内面に当接可能とされている。
【００２１】
第二デッキ面板５０は、長尺矩形状に形成されている。
【００２２】
内側面板６０は、長尺矩形状に形成されている。内側面板６０には、四角筒状の差込部形成部材１００が挿通可能な、開口部２４としての内側面板開口部６１が形成されている。
【００２３】
本実施形態では、内側面板開口部６１は、第二デッキ面板５０とは反対側の端部から第二デッキ面板５０まで長手方向に長い矩形状に切り欠かれて二か所開口している。内側面板開口部６１の開口縁部の長手方向における両端部から矩形状の補強フラップ６２が延設されている。
【００２４】
補強フラップ６２は、積載部形成部材２０が、四角筒状に組み立てられた状態において、第一デッキ面板３０の内面と、第二デッキ面板５０の内面に当接可能とされている。
【００２５】
第二デッキ面板５０と、内側面板６０には、第二デッキ面板５０の短手方向における全域と、内側面板６０の短手方向における一部に亘って形成されたスリット２５が設けられている。
【００２６】
スリット２５は、積載部形成部材２０の長手方向における端部と、積載部形成部材２０の長手方向における内側面板開口部６１及び外側面板開口部４１との間の中央部に、第二デッキ面板５０と、内側面板６０の短手方向に延びる貫通孔として二か所ずつ、合計六か所形成されている。
【００２７】
スリット２５は、保持部材１６０が挿入され、差込部形成部材１００が組み立てられた状態を保持するものである。
【００２８】
差込部形成部材１００は、強化段ボールシート製で、図２に示すように、矩形平板状に形成されている。
【００２９】
差込部形成部材１００は、長尺な矩形状の第一短辺板１１０と、第一短辺板１１０の一方の端部と折り線１０１を介して連設される第一長辺板１２０と、第一長辺板１２０の第一短辺板１１０とは反対側の端部と折り線１０２を介して連設される第二短辺板１３０と、第二短辺板１３０の第一長辺板１２０とは反対側の端部と折り線１０３を介して連設される第二長辺板１４０と、第二長辺板１４０の第二短辺板１３０とは反対側の端部と折り線１０４を介して連設される第三短辺板１５０と、を有している。
【００３０】
第一短辺板１１０の第一長辺板１２０とは反対側の端部には、第一長辺板１２０とは反対側に突出する突片として形成された係合部１１１が、第一短辺板１１０の長手方向に沿って三か所設けられている。
【００３１】
第二長辺板１４０の第三短辺板１５０との境界部分の近傍には、厚さ方向において貫通する貫通孔として形成された被係合部１４１が、第二長辺板１４０の長手方向に沿って三か所設けられている。
【００３２】
本実施形態では、第一短辺板１１０、第二短辺板１３０、第三短辺板１５０の順に短手方向における長さが、少しずつ長くなるように設定されている。また、第一長辺板１２０、第二長辺板１４０の順に、短手方向における長さが、少しずつ長くなるように設定されている。
【００３３】
保持部材１６０は、強化段ボールシート製で、図３に示すように、矩形平板状に形成されている。保持部材１６０の一対の対向する辺には、外周縁部から中央に向かう切り欠き１６１が設けられている。保持部材１６０には、切り欠き１６１に直交する方向に沿って、厚さ方向の一部を残した切り込み１６２が設けられている。
【００３４】
本実施形態では、保持部材１６０は、図６に参照するように、切り込み１６２部分において折り曲げられて、二枚重ね状態とされ、スリット２５に挿入可能とされるとともに、切り欠き１６１に一対の内側面板６０が挿入可能とされている。折り曲げられた保持部材１６０は、スリット２５に完全に挿入された状態において、第二デッキ面板５０の外側の面と略面一となるように設定されている。
【００３５】
段ボール製パレット１０の組み立て手順について説明する。積載部形成部材２０を、図１の展開状態から、図４、５に示すように、外側面板４０と、第二デッキ面板５０と、内側面板６０と、をそれぞれ９０度ずつ折り曲げて略コの字状とし、第一デッキ面板３０とで、四角筒状の角筒部２６を二つ形成する。
【００３６】
そして、図６に示すように、保持部材１６０を、切り込み１６２部分において折り曲げて、二つ折り状態とし、図７に示すように、スリット２５に挿入する。
【００３７】
このとき、切り欠き１６１に一対の内側面板６０が挿入されて、保持部材１６０と、一対の内側面板６０とが係止されて、積載部形成部材２０が四角筒状に保持される。なお、スリット２５に挿入された保持部材１６０は、第二デッキ面板５０の外側の面と略面一となる（図１１、１２参照）。
【００３８】
そして、図８に示すように、補強フラップ４２、補強フラップ６２を、差込部形成部材１００の挿通される部分と干渉しないように折り曲げる。補強フラップ４２、６２が、第一デッキ面板３０と、第二デッキ面板５０に当接することにより、第一デッキ面板３０から第二デッキ面板５０に向かう方向における強度を向上させる。
【００３９】
次に、差込部形成部材１００を、図９に示すように、第一短辺板１１０と、第一長辺板１２０と、第二短辺板１３０と、をそれぞれ９０度ずつ折り曲げて略四角筒状とし、第一短辺板１１０の係合部１１１を、第二長辺板１４０の被係合部１４１に差し込んで、差込部形成部材１００を四角筒状に保持する。
【００４０】
そして、四角筒状に形成された積載部形成部材２０を、短手方向に沿って隣接する積載部形成部材２０の開口部２４どうしが連通するように並列に並べておく。本実施形態では、差込部形成部材１００は、五個並べられている。
【００４１】
さらに、図１０に示すように、差込部形成部材１００の第三短辺板１５０を第一短辺板１１０と手で重ね合わせて、四角筒状を保持しながら、図１１に示すように、一端に位置する四角筒状に形成された積載部形成部材２０の外側面板開口部４１から差込部形成部材１００を挿入し、各積載部形成部材２０の外側面板開口部４１、内側面板開口部６１を経て、他端の位置する四角筒状に形成された積載部形成部材２０の外側面板開口部４１まで挿通させる。本実施形態では、図１２に示すように、差込部形成部材１００が、二個挿入されて段ボール製パレット１０が、完成する。
【００４２】
段ボール製パレット１０を使用態様について説明する。図１３に示すように、完成した段ボール製パレット１０の第一デッキ面板３０を上とし、第二デッキ面板５０を下にして設置面に置く。積載部１１となる第一デッキ面板３０の上面に、積載物を載せる。そして、四角筒状に形成される差込部形成部材１００に、フォークリフトのフォークを進入させて、段ボール製パレット１０をフォークリフトで運ぶ。
【００４３】
ここで、本明細書における「フォーク」とは、フォークリフトのフォークだけでなく、パレットトラックのフィンガ等の、搬送車両の爪状の差し込み部分をいうものとする。
【００４４】
積載物が、段ボール製パレット１０からすべて降ろされると、上記組み立てて順の逆の手順で、段ボール製パレット１０を解体する。解体された段ボール製パレット１０は、接着剤を使用していないので、容易にリサイクルすることが可能となる。
【００４５】
上記構成の段ボール製パレット１０では、長尺な四角筒状に形成され積載物が載せられる積載部１１を形成可能な複数の積載部形成部材２０と、
長尺な四角筒状に形成されフォークを差し込み可能な差込部形成部材１００と、を備え、
積載部形成部材２０は、短手方向において差込部形成部材１００を挿通可能な開口部２４を有し、短手方向に沿って開口部２４が連通するように並列に配置され、
積載部形成部材２０の開口部２４に、差込部形成部材１００が挿通されて、積載部形成部材２０が連結され積載部１１が形成される。
【００４６】
これによれば、積載部形成部材２０の開口部２４に、差込部形成部材１００を挿通することで、積載部形成部材２０が連結されるので、接着剤を使用せずに組立、解体することができる。また、複数の積載部形成部材２０で積載物が載せられる積載部１１を形成するので、積載部形成部材２０の数の増減により、段ボール製パレット１０のサイズの変更を行うことができる。
【００４７】
また、積載部形成部材２０は、
矩形状の第一デッキ面板３０と、第一デッキ面板３０の両側端部と折り線２１を介して連設される外側面板４０と、外側面板４０の第一デッキ面板３０とは反対側の端部と折り線２２を介して連設される第二デッキ面板５０と、第二デッキ面板５０の外側面板４０とは反対側の端部と折り線２３を介して連設される内側面板６０と、を有し、
外側面板４０と、第二デッキ面板５０と、内側面板６０と、が折り曲げられて第一デッキ面板３０とで、四角筒状の角筒部２６が二つ形成され、角筒部２６どうしを保持部材１６０が係止して組み立て状態が保持され、
開口部２４は、
外側面板４０に配設される外側面板開口部４１と、内側面板６０に配設される内側面板開口部６１と、で構成され、
積載部形成部材２０の、外側面板開口部４１及び内側面板開口部６１に、差込部形成部材１００が挿通されて、積載部形成部材２０が連結されている。
【００４８】
これによれば、保持部材１６０により組み立て状態が保持された積載部形成部材２０の、外側面板開口部４１及び内側面板開口部６１に、差込部形成部材１００が挿通されて、積載部形成部材２０が連結される構成によって、接着剤を使用せずに組立、解体することがきる段ボール製パレットとすることができる。さらに、第一デッキ面板３０、第二デッキ面板５０を有する構成としているので、積載物が載せられる積載部１１を上下両面に形成することができる。
【００４９】
また、外側面板開口部４１と、内側面板開口部６１の、少なくとも一方の開口縁部から延設され、第一デッキ面板３０と、第二デッキ面板５０に当接可能な補強フラップ４２、６２を有している。
【００５０】
これによれば、補強フラップ４２、６２が、第一デッキ面板３０と、第二デッキ面板５０に当接することにより、第一デッキ面板３０から第二デッキ面板５０に向かう方向における強度を向上させることができる。
【００５１】
また、保持部材１６０が、
第二デッキ面板５０の短手方向における全域、及び、内側面板６０の短手方向における一部に亘って形成されたスリット２５に挿入されることで、積載部形成部材２０の組み立て状態が保持されている。
【００５２】
これによれば、スリット２５に保持部材１６０を挿入することで、積載部形成部材２０の組み立て状態が保持されるので、組み付け作業性を容易にすることができる。
【００５３】
本発明の段ボール製パレットは上記構成に限定されるものではない。即ち、本発明の要旨を逸脱しない限り各種の設計変更等が可能である。
【００５４】
例えば、完成した段ボール製パレット１０の、第一デッキ面板３０を下とし、第二デッキ面板５０を、積載物が載せられる積載部１１として使用することも可能である。
【００５５】
また、段ボール製パレット１０に塗装、印刷等を施したうえで、重ね合わせて配置して、テレビ台、寝台等として使用することも可能である。
【００５６】
また、保持部材１６０は、折り曲げずに一枚の部材で形成することも可能である。
【００５７】
また、積載部形成部材２０の数は、適宜変更することができる。それにともない、差込部形成部材１００の挿入方向における長さを変更することになる。
【００５８】
また、補強フラップ４２、６２は、外側面板開口部４１と、内側面板開口部６１の、いずれか一方の開口縁部から延設される構成とすることも可能である。さらに、外側面板開口部４１と、内側面板開口部６１の開口縁部の長手方向における一端部のみから、矩形状の補強フラップ４２、６２を延設することも可能である。
【符号の説明】
【００５９】
１０  段ボール製パレット
１１  積載部
２０  積載部形成部材
２１  折り線
２２  折り線
２３  折り線
２４  開口部
２５  スリット
２６  角筒部
３０  第一デッキ面板
４０  外側面板
４１  外側面板開口部
４２  補強フラップ
５０  第二デッキ面板
６０  内側面板
６１  内側面板開口部
６２  補強フラップ
１００  差込部形成部材
１６０  保持部材
【図１】
2019182457.tif 000003
【図２】
2019182457.tif 000004
【図３】
2019182457.tif 000005
【図４】
2019182457.tif 000006
【図５】
2019182457.tif 000007
【図６】
2019182457.tif 000008
【図７】
2019182457.tif 000009
【図８】
2019182457.tif 000010
【図９】
2019182457.tif 000011
【図１０】
2019182457.tif 000012
【図１１】
2019182457.tif 000013
【図１２】
2019182457.tif 000014
【図１３】
2019182457.tif 000015